(57)【要約】      （修正有）【課題】使用者自身が目視することで容易に正しい姿勢を確認することができる、スポーツの技術向上に極めて有効なアライメント確認用ミラーを提供する。【解決手段】ゴルフをはじめとするスポーツにおける体の姿勢やスイングの正確性を確認するためのミラー１であって、所定の縦方向寸法、横方向寸法で構成されるミラー部材２ａ、２ｂと、ミラー上に印刷等により施した数本のアライメント確認用の直線ライン３と、体の各部位の位置確認やスイング幅等の確認のためのスケール７と、主にゴルフパッティング練習用にボールの軌道確認用のティーペグ挿込穴８とを備えている。【選択図】図１
0003200271.tif 000002
【実用新案登録請求の範囲】
【請求項１】
ゴルフをはじめとするスポーツにおける体の姿勢やスイングの正確性を確認するためのミラーであって、
所定の縦方向寸法、横方向寸法で構成されるミラー部材と、
前記ミラー部材上に印刷等により施した数本のアライメント確認用の直線ラインと、
前記ミラー部材上に印刷等により施した、体の各部位の位置確認やスイング幅等の確認のためのスケールと、
主にゴルフパッティング練習用に、前記ミラー部材上に開けられたボールの軌道確認用のティーペグ挿込穴とを備えている、ことを特徴とするアライメント確認用ミラー。
【請求項２】
前記ミラー部材は、表面を鏡面仕上げした金属板で形成されている、請求項１に記載のアライメント確認用ミラー。
【請求項３】
前記ミラー部材を複数配置し、蝶番により接合し折りたたみ式に構成されている、請求項１又は請求項２に記載のアライメント確認用ミラー。
【請求項４】
前記ミラー部材は、周囲に衝撃緩衝部材を備えている、請求項１〜３のいずれか１項に記載のアライメント確認用ミラー。
【考案の詳細な説明】
【技術分野】
【０００１】  本考案は、ゴルフをはじめとするスポーツにおけるアドレス（構え）の姿勢・体の向き等を目視で確認し、反復練習するためのミラーに関する。
【背景技術】
【０００２】  従来、スポーツにおいて体の構え・姿勢は基本かつ重要な要素の一つであり、それを身に付けるために様々な練習方法、指導方法、練習器具等が開発されている。近年では様々なスポーツがアマチュアの間にも普及し、より効率的な練習方法が求められている。【０００３】  ゴルフを例に挙げると、ボールを打つ際重要な要素はグリップ・スイング・アドレス等様々あるが、本考案はアドレスのアライメント確認に重要な役割を果たすものであるから、そこに焦点を当てて考察することとする。【０００４】  なお、この種の先行技術としては、例えばゴルフパッティング練習具がある（特許文献１参照）。これによると、プレートに設けた溝を真上から覗き込むように構え、さらに溝に沿って真っ直ぐヘッドを動かすことで正確なパッティング練習を提供するものとなっている。【０００５】  また、他の先行技術としてレーザー光線を用いてラインを発射するゴルフ練習用アライメント装置がある（例えば特許文献２参照）。
【先行技術文献】
【特許文献】
【０００６】
【特許文献１】実用新案登録３１９６２０３号公報
【特許文献２】特開２０１０−２０１１５９公報
【考案の概要】
【考案が解決しようとする課題】
【０００７】  上記のような練習器具でアドレスのアライメントを確認する場合、ラインに対してスクエアに構える練習、真っ直ぐなストロークの練習、クラブフェース面の向き確認、正しい目線の確認等、ゴルフにおける重要なチェックポイントをトレーニングすることができる。
しかしながら上記の練習器具では、引かれたラインに沿ってストロークの確認や目線の確認、足の構え位置等を確認することができるが、肩のラインや顔・目の位置等のアライメントを自身で正確に把握できるかといえば難しくなってくる。【０００８】  また、大掛かりな装置を要するものも多く、客観的に指導するコーチが必要になる場合もあり、手軽な練習には不向きであったり価格も高価になる傾向がある。【０００９】  このように、従来の練習器具はアライメントの確認のために、引かれた溝やレーザー照射された直線を目視することによって自身の立ち位置や体の向き、目線を確認するものであるが、自身で目視できない部分のセルフチェックには限界がある。【００１０】  そこで本考案は、使用者自身が映り込むことによって、より効率的な練習が可能となるスポーツ用アライメント確認ミラーを提供することを目的とする。
【課題を解決するための手段】
【００１１】  上記目的を達成するために、本考案は、ゴルフをはじめとするスポーツにおける体の姿勢やスイングの正確性を確認するためのミラーであって、所定の縦方向寸法、横方向寸法で構成されるミラー部材と、ミラー上に印刷等により施した数本のアライメント確認用の直線ラインと、体の各部位の位置確認やスイング幅等の確認のためのスケールと、主にゴルフパッティング練習用にボールの軌道確認用のティーペグ挿込穴とを備えている。なお、使用目的に応じて縦横寸法、直線ラインの構成、スケールの表示、穴の構成等は変動するものである。【００１２】  この構成により、使用者は膝・腰・胸・肩・頭など体の各部位を鏡に映すことで、目視によるアライメント確認が可能になる。【００１３】  また、前記ミラー部材は、表面を鏡面仕上げした金属板で形成されていてもよい。そうすることでゴルフクラブやボールなどがミラーに当接したり、ミラーが落下したりしても割れないようにできる。【００１４】  また、複数の前記ミラー部材を蝶番によって接合し、折りたたみ式にしてもよい。このように構成すれば、嵩張らず携帯に便利であり、尚且つ広範囲を確認できるミラーを提供することができ、より一層トレーニングの幅を広げることができる。【００１５】  また、前記ミラー部材は周囲に衝撃緩衝部材を備えていてもよい。このように構成すれば、金属ミラーを誤って落下させても怪我や損傷を防ぐことができる。
【考案の効果】
【００１６】  本考案によれば、スポーツにおける体の各部位のアライメントやスイングの軌道をミラー部材に映して目視確認でき、アライメントの精度が重要なスポーツの技術向上に効果を発揮することができる。
【図面の簡単な説明】
【００１７】
【図１】図１は、本考案の一実施形態を示すアライメント確認用ミラーの平面図である。
【図２】図２は、図１に示すアライメント確認用ミラーの正面図である。
【図３】図３は、図１に示すアライメント確認用ミラーの側面図である。
【図４】図４は、図１に示すアライメント確認用ミラーの折りたたみ時の側面図である。
【図５】図５は、図１に示すアライメント確認用ミラーを使用してゴルフのアドレスを確認する一例を示す図である。
【考案を実施するための形態】
【００１８】  以下、本考案の実施形態を図面に基づいて説明する。以下の実施形態では、横長の長方形状となったミラー部材２ａと２ｂを備えたアライメント確認用ミラー１を例に説明する。図１に示すように、この実施形態のアライメント確認用ミラー１は、所定の縦方向寸法を有し、横方向に延びる長方形状のミラー部材２ａ、２ｂと、その上に印刷等により施した２本のアライメント確認用の直線ライン３と、ゴルフスイングにおけるテイクバックとフォロースルーの振り幅確認のためのスケール７と、ゴルフパッティング練習用のティーペグ挿込穴８とを備えている。
【００１９】  上記ミラー部材２ａ、２ｂは、金属板の表面を鏡面仕上げしたものを用いている。鏡面仕上げは、例えば、バフ掛けなどの加工が採用できる。ミラー部材２ａ、２ｂとしては、例えば、ステンレス板を用い、鏡面加工によって表面を仕上げることで、錆に強く、割れないという特長を持つミラーに形成することができる。また、この実施形態のミラー部材２ａ、２ｂの周囲には、衝撃緩衝部材６が備えられている。この衝撃緩衝部材６としては、例えば、軟質樹脂材やゴム材などを用いることができる。
【００２０】  この実施形態のアライメント確認用ミラー１は、蝶番５によってミラー部材２ａ、２ｂを接合し、折りたたみ式に形成している。図４はアライメント確認用ミラー１を折りたたんだ状態の側面図である。このように構成すれば横方向寸法が半分になり、持ち運び時に非常に有効な手段となる。
【００２１】  図５は、実際にアライメント確認用ミラー１を使用したゴルフパッティング練習の一例である。基本的にアライメント確認用ミラー１は平坦な地面に置いて使用する。使用方法としては、まずボール設置部４にゴルフボールを設置し、パターを持ってアドレスに入る。その時、図５に示すように目線がボールの真上になるようにミラーを覗き込み確認する。同時に肩のラインがアライメント確認用ライン３と平行になるようにミラーを見て調整すれば、正確なアライメントを自身で簡単に確認することができる。
【００２２】  応用として、図１に示すティーペグ挿込穴８にティーペグを挿し込み、上述したようにアドレスを取り、挿し込んだ２本のティーペグの間を正確にボールが抜けるように打つ練習も可能である。
【００２３】  以上のように、上記アライメント確認用ミラー１によれば、ゴルフのアドレス時の膝・腰・胸・肩・目線のアライメントを、ミラーに映すことにより自身で容易に確認することができる。従って、ゴルフにおいて非常に重要であり且つ難しいとされる、目標に対して正しく構える技術の向上に非常に有効なトレーニングの手段を提供することが可能である。
【００２４】  また、ミラー部材２ａ、２ｂは、ゴルフクラブやボールなどの硬質物が当接しても割れることがないので、使用者が誤ってミラー部材２ａ、２ｂにゴルフクラブ等を当接させたとしても、周囲にガラスが散乱することもなく、安心して使用することができる。
【００２５】  なお、上記の実施形態では、ミラー部材２ａ、２ｂをステンレス板で形成しているが、他の金属でも表面を鏡面仕上げしてミラー部材２ａ、２ｂとして用いることができ、ミラー部材２ａ、２ｂの材質は上記実施形態に限定されるものではない。
【００２６】  さらに、上記の実施形態は一例を示しており、金属板のミラー部材２によってゴルフ等のスポーツに限らずとも、姿勢やアライメントを確認できる構成であればよく、上記した実施形態の構成を全て備えていない構成でも本考案は実施可能であり、本考案の要旨を損なわない範囲で構成を変更してもよく、本考案は上記した実施形態に限定されるものではない。
【符号の説明】
【００２７】１    アライメント確認用ミラー
２ａ  ミラー部材
２ｂ  ミラー部材
３    アライメント確認用ライン
４    ボール設置部
５    蝶番
６    衝撃緩衝部材
７    スケール
８    ティーペグ挿込穴
【図１】
0003200271.tif 000003
【図２】
0003200271.tif 000004
【図３】
0003200271.tif 000005
【図４】
0003200271.tif 000006
【図５】
0003200271.tif 000007